(57)【要約】【課題】  貝係止具の貝止め突起から貝が脱落することがあった。【解決手段】  止め突起を幅方向に分離して二以上の分離片に分けた。二以上の分離片を基材側、又は基材と反対側、又は基材側とその反対側との双方に曲げた。二以上の分離片の全て又は一部の分離片の先端側に基材側又はそれと反対側、又は基材側とそれと反対側との双方に曲げた第二抜け止め部を設けた。前記貝係止具を多数本平行に間隔をあけて配置し、それらの軸方向両端部を剛性連結材で連結して集合貝係止具とした。貝係止具を多数本平行に間隔をあけて配置し、それらをロール状に巻回可能な可撓性連結材で連結して連続貝係止具とした。連続貝係止具をロール状に巻いてロール状連続貝係止具とした。【選択図】      図３
2006280312.tif 000002
【特許請求の範囲】
【請求項１】
ロープと貝にあけた孔に差し込み可能な細長の基材（１）と、貝止め突起（２）と、第一ロープ止め突起（３）が樹脂で一体成型され、貝止め突起（２）は基材（１）の軸方向端部（４）側から第一ロープ止め突起（３）側に突設され、貝止め突起（２）はその幅方向に分離された二以上の分離片（５）を備えたことを特徴とする貝係止具。
【請求項２】
請求項１記載の貝係止具において、貝止め突起（２）の二以上の分離片（５）は、貝止め突起（２）の根元部分から、又はその長手方向途中から、又はその先端部寄りから二以上に分離されたことを特徴とする貝係止具。
【請求項３】
請求項１又は請求項２記載の貝係止具において、二以上の分離片（５）の全て又は一部がその根元部分から、又はその長手方向途中から、又はその先端部寄りから、基材（１）側に、又は基材（１）の反対側に、又は基材（１）側と基材（１）と反対側との双方に曲げられていることを特徴とする貝係止具。
【請求項４】
請求項１乃至請求項３のいずれかに記載の貝係止具において、二以上の分離片（５）の全て又は一部の分離片（５）の先端側に、先端部を基材（１）側又は基材（１）と反対側、又は基材（１）側と基材（１）と反対側との双方に曲げた第二抜け止め部（２１）を備えたことを特徴とする貝係止具。
【請求項５】
請求項１乃至請求項４のいずれかに記載の貝係止具において、二以上の分離片（５）のうち、両外側の分離片（５）の先端部外側が、基材（１）の外周面（６）よりも外側に突出していることを特徴とする貝係止具。
【請求項６】
請求項１乃至請求項５のいずれかに記載の貝係止具において、基材（１）から第二ロープ止め突起（７）が突設され、第二ロープ止め突起（７）は第一ロープ止め突起（３）の根元位置又は根元よりも内側位置から第一ロープ止め突起（３）と反対方向に突設されたことを特徴とする貝係止具。
【請求項７】
請求項１乃至請求項５のいずれかに記載の貝係止具において、基材（１）の第一ロープ止め突起（３）の内側に第一ロープ止め突起（３）側に凹陥する凹陥部（８）が形成され、第二ロープ止め突起（７）が凹陥部（８）の内側から第一ロープ止め突起（３）と反対側に突設され、第二ロープ止め突起（７）は凹陥部（８）の内側であって第一ロープ止め突起（３）の先端とほぼ同じ位置又は根元よりも内側位置から突設され、第二ロープ止め突起（７）は第一ロープ止め突起（３）よりも短くして凹陥部（８）の外側に突出しないか、凹陥部（８）よりも僅かに外側まで突出する長さであることを特徴とする貝係止具。
【請求項８】
請求項１乃至請求項７のいずれかに記載の貝係止具が多数本平行に間隔をあけて配置され、且つ多数本の貝係止具の軸方向両端部が剛性連結材（９）で連結されて成型されたことを特徴とする集合貝係止具。
【請求項９】
請求項１乃至請求項７のいずれかに記載の貝係止具が多数本平行に間隔をあけて配置され、且つ多数本の貝係止具の基材（１）間がロール状に巻回可能な可撓性連結材（１０）で連結されて成型されたことを特徴とする連続貝係止具。
【請求項１０】
請求項１乃至請求項７のいずれかに記載の貝係止具が多数本平行に間隔をあけて配置され、且つ隣接する貝係止具の第一ロープ止め突起（３）と第二ロープ止め突起（７）がロール状に巻回可能な可撓性連結材（１０）で連結されて成型されたことを特徴とする連続貝係止具。
【請求項１１】
請求項９又は請求項１０記載の連続貝係止具がボビン（１１）に、又はボビンを使用せずにロール状に巻かれたことを特徴とするロール状連続貝係止具。
【請求項１２】
請求項１１記載の連続貝係止具がシート（１２）を宛がってロール状に巻いて、巻層間にシート（１２）を介在させたことを特徴とするロール状連続貝係止具。
【発明の詳細な説明】
【技術分野】
【０００１】
本発明は帆立貝、真珠貝、牡蠣、その他の貝の養殖に使用されるピン状の貝係止具と、数十本の貝係止を一定間隔で成型した集合貝係止具と、数千〜数万本のロール状に巻回可能に連続成型した連続貝係止具と、連続貝係止具をロール状に巻いたロール状連続貝係止具に関するものである。
【背景技術】
【０００２】
帆立貝の養殖方法の一つとして、帆立貝を海中に吊して養殖する耳吊養殖がある。これは海面近くに横向きに張った横ロープ（図示せず）に、帆立貝を取付けた縦ロープを縦向きに取り付けて海中に吊るす方法である。縦ロープへの帆立貝の取付けにはピン状の貝係止具が使用されている。貝係止具は樹脂成型されており、細長な基材の両端に貝止め突起があり、その内側にロープ止め突起がある。貝係止具は縦ロープに差し込み、貝にあけた孔に差し込んで貝を貝止め突起に係止する（特許文献１）。
【０００３】
【特許文献１】特開２００４−２０８６１９
【発明の開示】
【発明が解決しようとする課題】
【０００４】
海中に吊られた貝が波を受けて貝係止具を軸として回転したり、揺れたりすると、貝係止具の貝止め突起が捩れて基材の窪み（寝床）の上に倒伏し、貝が貝係止具の貝止め突起を乗り越えて抜け落ちることがあり、養殖の歩留りが低下し、養殖業者の収益が減収する。
【課題を解決するための手段】
【０００５】
本発明は、貝止め突起が切断したり、倒伏したりしにくく、貝が抜け落ちないようにした貝係止具を提供するものである。
【０００６】
本発明の請求項１記載の貝係止具は、ロープと貝にあけた孔に差し込み可能な細長の基材１と、貝止め突起２と、第一ロープ止め突起３が樹脂で一体成型され、貝止め突起２は基材１の軸方向端部４側から第一ロープ止め突起３側に突設され、貝止め突起２はその幅方向に分離された二以上の分離片５を備えたことを特徴とするものである。
【０００７】
本発明の請求項２記載の貝係止具は、請求項１記載の貝係止具において、貝止め突起２の二以上の分離片５は、貝止め突起２の根元部分から、又はその長手方向途中から、又はその先端部寄りから二以上に分離されていることを特徴とするものである。
【０００８】
本発明の請求項３記載の貝係止具は、請求項１又は請求項２記載の貝係止具において、二以上の分離片５の全て又は一部がその根元部分から、又はその長手方向途中から、又はその先端部寄りから、基材１側に、又は基材１と反対側に、又は基材１側と基材１と反対側との双方に曲げられていることを特徴とするものである。
【０００９】
本発明の請求項４記載の貝係止具は、請求項１乃至請求項３のいずれかに記載の貝係止具において、二以上の分離片５の全て又は一部の分離片５の先端側に、先端部を基材１側又は基材１と反対側、又は基材１側と基材１と反対側との双方に曲げた第二抜け止め部２１を備えたことを特徴とするものである。
【００１０】
本発明の請求項５記載の貝係止具は、請求項１乃至請求項４のいずれかに記載の貝係止具において、二以上の分離片５のうち、両外側の分離片５の先端部外側が、基材１の外周面６よりも外側に突出していることを特徴とするものである。
【００１１】
本発明の請求項６記載の貝係止具は、請求項１乃至請求項５のいずれかに記載の貝係止具において、基材１から第二ロープ止め突起７が突設され、第二ロープ止め突起７は第一ロープ止め突起３の根元位置又は根元よりも内側位置から第一ロープ止め突起３と反対方向に突設されたことを特徴とするものである。
【００１２】
本発明の請求項７記載の貝係止具は、請求項１乃至請求項５のいずれかに記載の貝係止具において、基材１の第一ロープ止め突起３の内側に第一ロープ止め突起３側に凹陥する凹陥部８が形成され、第二ロープ止め突起７が凹陥部８の内側から第一ロープ止め突起３と反対側に突設され、第二ロープ止め突起７は凹陥部８の内側であって第一ロープ止め突起３の先端とほぼ同じ位置又は根元よりも内側位置から突設され、第二ロープ止め突起７は第一ロープ止め突起３よりも短くして凹陥部８の外側に突出しないか、凹陥部８よりも僅かに外側まで突出する長さであることを特徴とするものである。
【００１３】
本発明の請求項８記載の集合貝係止具は、請求項１乃至請求項７のいずれかに記載の貝係止具が多数本平行に間隔をあけて配置され、且つ多数本の貝係止具の軸方向両端部が剛性連結材９で連結されて成型されたことを特徴とするものである。
【００１４】
本発明の請求項９記載の連続貝係止具は、請求項１乃至請求項７のいずれかに記載の貝係止具が多数本平行に間隔をあけて配置され、且つ多数本の貝係止具の基材１間がロール状に巻回可能な可撓性連結材１０で連結されて成型されたことを特徴とするものである。
【００１５】
本発明の請求項１０記載の連続貝係止具は、請求項１乃至請求項７のいずれかに記載の貝係止具が多数本平行に間隔をあけて配置され、且つ隣接する貝係止具の第一ロープ止め突起３と第二ロープ止め突起７がロール状に巻回可能な可撓性連結材１０で連結されて成型されたことを特徴とするものである。
【００１６】
本発明の請求項１１記載のロール状連続貝係止具は、請求項９又は請求項１０記載の連続貝係止具がボビン１１に、又はボビンを使用せずにロール状に巻かれたことを特徴とするものである。
【００１７】
本発明の請求項１２記載のロール状連続貝係止具は、請求項１１記載の連続貝係止具がシート１２を宛がってロール状に巻かれて、巻層間にシート１２が介在されたことを特徴とするものである。
【発明の効果】
【００１８】
本発明の貝係止具は、貝止め突起２が、その側幅方向に分離された二以上の分離片５を備えているので、図２１のように貝の孔に差込んで貝を海中に吊り下げても、貝の孔が二以上の分離片５から抜けることが難しくなり、貝の脱落が防止される。
【００１９】
本発明の貝係止具は、二以上の分離片５の全て又は一部がその根元部分から、又はその長手方向途中から、又はその先端部寄りからから、基材１側に、又は基材１と反対側に、又は基材１側と基材１と反対側との双方に曲げられているので、貝がより一層抜けにくくなる。
【００２０】
本発明の貝係止具は、貝止め突起２が、その側幅方向に分離された二以上の分離片５を備え、更に、分離片５の先端側に、先端部を基材１側又は基材１と反対側、又は基材１側と基材１と反対側との双方に曲げた第二抜け止め部２１を備えているので、貝がより一層抜けにくくなる。
【００２１】
本発明の貝係止具は、二以上の分離片５のうち、両外側の分離片５の先端部外側が、基材１の外周面６よりも外側に突出しているので、貝がより一層抜けにくくなる。
【００２２】
本発明の貝係止具は、貝係止具の基材に第二ロープ止め突起７を第一ロープ止め突起Ｈと反対方向に突設して成型し、第二ロープ止め突起７を第一ロープ止め突起Ｈの根元又は先端よりも内側に突設したので、第一ロープ止め突起Ｈの傾斜角度θを図２３のように小さくして、第一ロープ止め突起Ｈの根元間の間隔Ｍを図２２の間隔ｍより広くしても、ロープに差し込まれた貝係止具のスライド幅（左右へのずれ幅）が第二ロープ止め突起７により規制されて小さくなり、貝係止具が位置ずれしにくくなる。このため、第一ロープ止め突起Ｈがロープへ衝突しにくくなり、第一ロープ止め突起Ｈの折損が無く、貝係止具がロープから抜けて脱落することがなく、養殖貝の歩留まりが向上する。
【００２３】
第二ロープ止め突起７を凹陥部８の内側であって第一ロープ止め突起３の先端とほぼ同じ位置又は根元よりも内側位置から突設され、第二ロープ止め突起７は第一ロープ止め突起３よりも短くして凹陥部８の外側に突出しないか、凹陥部８よりも僅かに外側まで突出する長さとしたので、第二ロープ止め突起７があっても、貝係止具を貝の孔に差し込む時に第二ロープ止め突起７が邪魔にならない。
【００２４】
本発明の集合貝係止具は、前記貝係止具を多数本平行に間隔をあけて配置し、且つ多数本の貝係止具の軸方向端部を剛性連結材で連結して成型したので、多数枚を横向きにして上下に重ねたり、縦向きにして前後或は左右に並べたりして、切断差し込み機（通称：ピンセッター）にセットして、貝係止具を１本ずつ切断しながらロープに差し込むことができ、ロープへの差し込みが自動化され、作業性が向上する。この場合、多数本の貝係止具を同じ向きにして連結すれば、一本ずつ分離してロープに差し込む場合に貝係止具の方向が揃い、ロープへの差し込み、貝への差し込みなどの作業がし易くなる。剛性連結材での連結であるため、集合貝係止具をピン自動切断差し込み機にセットして一本ずつ切断して差し込むときに、集合貝係止具を自動送りしても隣接する貝係止具の間隔や集合貝係止具全体の形状が変化することが無く、切断、差し込み作業が安定する。
【００２５】
本発明の連続貝係止具は、前記貝係止具を多数本平行に間隔をあけて配置し、且つ多数本の貝係止具の基材間をロール状に巻回可能な可撓性連結材で連結したので次のような効果がある。
（１）貝係止具が数千、数万本と多くなっても、ロール状に巻回して保管、搬送、ピンセッターへのセットができ、コンパクトにまとまるため保管に場所をとらず取り扱いに便利である。
（２）可撓性連結材を薄肉片にすれば貝係止具の分離が容易になり、ロール状に巻き易くもなる。数十ｍ以上長く連続成型された連結貝係止具は、保管や運搬の仕方によっては貝係止具のロープ止め突起同士が絡まったり、貝止め突起同士が絡まったり、基材の端部が曲がったりして、引き出しにくいとか、一本ずつ分離しにくくなることがあるが、保護シートがあるためそのようなことはない。
【００２６】
本発明のロール状連続貝係止具は、前記連続貝係止具に巻いたので次のような効果がある。
（１）連続貝係止具をボビンにロール状に巻いたロール状連続貝係止具の場合は、ボビンを回転軸にセットして連結貝係止具をボビンから引き出すことができるため、ボビンの回転が円滑になり、貝係止具の１本ずつの切断、切断した貝係止具のロープへの差し込みがスムースに行われる。ボビンに鍔があるため貝係止具をロール状に巻いた鍔を重ねて保管したり、収納したりすることができ、取り扱いに便利である。
（２）保護シートを介在させてロール状に巻いたため、連結されている多数の貝係止具同士が絡まり合うことがなく、連結貝係止具の巻き戻し(引き出し)がスムースになり、自動ピンセッターなどへのセットが容易になり、使い易くなる。
【発明を実施するための最良の形態】
【００２７】
（貝係止具の実施の形態）
本発明の貝係止具の基本形態を図１（ａ）〜（ｅ）〜図３（ａ）〜（ｆ）を参照して説明する。図１（ａ）〜（ｃ）の貝係止具は海中に吊るす縦ロープ及び貝の耳にあけた孔に差し込み可能なピン形状の基材１のほぼ中央部にロープ止め突起３が２本突設され、ロープ止め突起３よりも外側の両端部（差し込み端部）４寄りには貝の抜けを規制する貝止め突起２が突設され、貝止め突起２がその幅方向に分離された二以上の分離片５を備えたものである。これら基材１、貝止め突起２、ロープ止め突起３、分離片５は一体に樹脂成型されている。
【００２８】
基材１の形状は丸ピン、角ピン、他の形状のピンとすることができる。基材１は両端部（差し込み端部）４を先細りに成型して貝の孔に差し込み易くしてある。基材１のうち貝止め突起２と対向する内面には、基材１の中央部の外周面よりも一段低い凹部（寝床）２４（図３（ａ））を設けて、貝止め突起２をその根元部分から基材１側に押し倒すと、貝止め突起２が寝床２４内に伏して倒れ（倒伏し）て、貝止め突起２と寝床２４が重なって外形輪郭がほぼ円形になるようにしてある。これにより貝止め突起２は貝係止具を基材１の軸方向一端から縦ロープに差し込むときも、貝の耳にあけた孔に差し込むときも、押し倒されて寝床２４内に倒れて貝止め突起２が縦ロープ内を貫通し易くなる。また、差し込み時に倒れた貝止め突起２は縦ロープを貫通し終えたときも、貝の孔を貫通し終えたときも、自己の弾性と復元力で自動的に起立して倒れる前の元の状態に復元できるようにしてある。
【００２９】
ロープ止め突起３は縦ロープに差し込んだ貝係止具が縦ロープから抜けるのを阻止するためのものであり、基材１の外周の同方向に二本突設され、互いに内向き斜めに突設されてハ字状になっている。図１（ａ）〜（ｃ）のロープ止め突起３は基材１の長手方向中央部の外径よりもやや細い丸棒状であるが、それ以外の形状、例えば、三角や四角の棒状とか、楕円形の棒状等であってもよく、太さもそれ以外であってもよい。二本の貝止め突起２は図２（ａ）のように互いに反対方向に斜めに突設することも、図２（ｂ）のように互いに同じ方向であるが貝止め突起２とは反対方向に突設することも、これら以外の突出とすることもできる。図２（ｃ）のように設けないこともできる。
【００３０】
貝止め突起２は図１（ａ）〜（ｄ）に明示するように、その立ち上がり部分（根元部分）側から先端部まで斜め外側に向けて突設され、更に、基材１と反対側に反り返るよう湾曲させて、貝止め突起２に係止された貝が抜けにくくなるようにしてある。また、貝止め突起２の根元内側部分２２は円弧状に湾曲させて、貝止め突起２に貝の荷重が加わってもその荷重が貝止め突起２の根元内側部分２２に伝わりにくくなって、根元内側部分２２から切れにくくなるようにしてある。図示した貝止め突起２は薄板状に成型されているが、貝止め突起２は倒伏・復元可能な弾性のある丸棒状とか外面が円弧状の半円形とか、その他の形状とすることもできる。貝止め突起２は図１（ｅ）のように基材１の両先端部の夫々に、反対方向に２枚ずつ突設することもできる。
【００３１】
貝止め突起２は、その幅方向に分離された二以上の分離片５を備えている。図３（ａ）〜（ｆ）の貝止め突起２はその先端側を２つに分離して二以上の分離片５を設けたものであり、（ａ）は同じ幅の二枚の分離片５としたもの、（ｂ）は幅の異なる二枚の分離片５としたもの、（ｃ）は同じ幅の三枚の分離片５としたもの、（ｄ）は同じ幅の二枚の分離片５を互いに反対側（基材側とその反対側）に曲げたもの、（ｅ）は三枚の分離片５のうち、中の分離片５はそのままにし、両外側の分離片５を反対側に曲げたもの、（f）は三枚の分離片５のうち、二枚を同じ側、一枚を反対側に曲げたものである。
【００３２】
図４（ａ）は貝止め突起２の先端側に二枚の分離片５を設け、それら分離片５の先端部外側を幅広くして、その外側面を基材１の外周面６よりも外側まで少し突出させたものである。図４（ｂ）は貝止め突起２の先端側に三枚の分離片５を設け、それら両外側の分離片５の先端部外側を幅広くして、その外側面を基材１の外周面６よりも外側まで少し突出させたものである。
【００３３】
図４（ｃ）（ｄ）の貝止め突起２は、貝止め突起２をその根元部分から２つに分離して二以上の分離片５を設けたものであり、（ｃ）は同じ幅の二枚の分離片５としたもの、（ｄ）は両側の分離片５を反対側に曲げたものである。貝止め突起２をその根元部分から２つに分離する場合も、分離片５の数は３本以上とすることもでき、分離片５の曲げ方向も図３（ｄ）〜（ｆ）のようにしたり、他の曲げ方にしたりすることができる。
【００３４】
図４（ｅ）（ｆ）の貝止め突起２は、貝止め突起２をその長手方向中央部付近から２つに分離して二以上の分離片５を設けたものであり、（ｅ）は同じ幅の二枚の分離片５としたもの、（f）は両側の分離片５を反対側に曲げたものである。貝止め突起２をその長手方向中央部付近から２つに分離する場合も、分離片５の数は３本以上とすることもでき、分離片５の曲げ方向も、図３（ｄ）〜（ｆ）のようにしたり、他の曲げ方にしたりすることができる。
【００３５】
図５（ａ）、図６（ａ）、図７（ａ）の貝止め突起２は二枚の分離片５の第二抜け止め部２１を基材１側に曲げたもの、図５（ｂ）、図６（ｂ）、図７（ｂ）の貝止め突起２は二枚の分離片５の第二抜け止め部２１を基材１側と反対側に曲げたもの、図５（ｃ）、図６（ｃ）、図７（ｃ）の貝止め突起２は二枚の分離片５の第二抜け止め部２１を互いに反対側（基材側と反対側）に曲げたものである。図５（ａ）〜（ｃ）はいずれも二枚の分離片５を貝止め突起２の先端側から分離したもの、図６（ａ）〜（ｃ）はいずれも二枚の分離片５を貝止め突起２の長手方向ほぼ中央部から分離したもの、図７（ａ）〜（ｃ）はいずれも二枚の分離片５を貝止め突起２の根元部分から分離したものである。本発明では二枚以上の分離片５間に線状の切り込みが入っているが、二枚以上の分離片５間に幅の細いスリットを設けることもできる。この場合、スリットの根元部分を円弧状にして避けにくくするのが望ましい。第二抜け止め部２１は一枚の貝止め突起２の二枚以上の分離片５の全てに形成するのではなく、いずれかの分離片５にだけ形成することもできる。又、必要であれば、分離片５の先端部の幅方向両側に内側に円弧状に窪む凹陥部を設けて、分離片５のうち、その凹陥部よりも先端側が基材側又はその反対側に曲がり易くなるようにしておくこともできる。
【００３６】
（集合貝係止具の実施の形態１）
本発明の集合貝係止具の第１の実施形態を図８、図９に基づいて説明する。この集合貝係止具は図１（ａ）（ｃ）の貝係止具を間隔をあけて多数本平行に配置し、それら貝係止具の両端をレール状の剛性連結材９で連結して樹脂成型したものである。剛性連結材９は角棒状であり、太くして剛性を持たせて、隣接する貝係止具の間隔を変形しにくくすると共に、全体も変形しにくくしてある。剛性連結材２１は角棒以外の形状とすることができる。
【００３７】
（集合貝係止具の実施の形態２）
本発明の集合貝係止具の第２の実施形態を図１０に基づいて説明する。この集合貝係止具の基本的形状は図８の集合貝係止具と同じであり、異なるのは、各貝止め突起２の先端端部４を剛性連結材９で連結すると共に、各貝止め突起２の先端部と剛性連結材９の間に、端部よりも大径の円盤状の突起２０を設けたことである。この突起２０は集合貝係止具をピンセッターにセットして貝係止具を１本分ずつ移動させて、貝係止具を１本ずつ切断分離するときに、ギヤ送りするための係止部である。集合する貝係止具の本数は任意とすることができるが、作業性、形状保持性等の面から２０〜３０本程度が望ましい。本発明における集合貝係止具は、図示したいずれかの貝係止具を間隔をあけて多数本平行に配置し、それら貝係止具の両端をレール状の剛性連結材９で連結して樹脂成型することもできる。図示していないが、両側の剛性連結材９にはその長手方向に一定間隔で凹凸を設けて、ピンセッターにセットして貝係止具を１本分ずつ移動させて、貝係止具を１本ずつ切断分離するときに、ギヤ送りするための係止部とすることもできる。
【００３８】
（連続貝係止具の実施の形態１）
本発明の連続貝係止具の第１の実施形態を図１１（ａ）に基づいて説明する。この連続貝係止具は図１（ａ）の貝係止具を間隔をあけて数千〜数万本平行に配置し、それら貝係止具のロープ止め突起と貝止め突起の間を丸紐状の可撓性連結材１０で連結して樹脂成型して、ロール状に巻くことができるようにしてある。
【００３９】
（連続貝係止具の実施の形態２）
本発明の連続貝係止具の第２の実施形態を図１１（ｂ）に基づいて説明する。この連続貝係止具は図１（ａ）の貝係止具を間隔をあけて数千〜数万本平行に配置し、それら貝係止具の２本のロープ止め突起３の間を薄い平紐の可撓性連結材１０で連結成型してロール状に巻くことができるようにしてある。可撓性連結材１０は、ロール状に巻くことができるものであれば他の形状とすることができる。
【００４０】
（連続貝係止具の実施の形態３）
本発明の連続貝係止具の第３の実施形態を図１１（ｃ）に基づいて説明する。この連続貝係止具は図１（ａ）の貝係止具を間隔をあけて数千〜数万本平行に配置し、それら貝係止具の両端部を薄い平紐、丸紐等の可撓性連結材１０で連結成型してロール状に巻くことができるようにしてある。
【００４１】
（連続貝係止具の実施の形態４）
本発明の連続貝係止具の第４の実施形態を図１１（ｄ）に基づいて説明する。この連続貝係止具は図１（ａ）の貝係止具を間隔をあけて数千〜数万本平行に配置し、それら貝係止具の基材の長手方向中央部を薄い平紐の可撓性連結材１０で連結成型してロール状に巻くことができるようにしてある。可撓性連結材１０は、ロール状に巻くことができるものであれば他の形状とすることができる。
【００４２】
（連続貝係止具の実施の形態５）
本発明の連続貝係止具の第５の実施形態を図１２に基づいて説明する。この連続貝係止具は図２（ａ）の貝係止具を間隔をあけて数千〜数万本平行に配置し、それら貝係止具の２本のロープ止め突起３の外側を可撓性連結材１０で連結成型してロール状に巻くことができるようにしてある。可撓性連結材１０はロール状に巻くことができるものであれば薄い平紐、丸い細紐等、任意の形状とすることができる。
【００４３】
（連続貝係止具の実施の形態６）
本発明の連続貝係止具の第６の実施形態を図１３に基づいて説明する。この連続貝係止具はロープ止め突起の無い図２（ｃ）の貝係止具を間隔をあけて数千〜数万本平行に配置し、それら貝係止具の基材を可撓性連結材１０で連結成型してロール状に巻くことができるようにしてある。可撓性連結材１０はロール状に巻くことができるものであれば薄い平紐、丸い細紐等、任意の形状とすることができる。
【００４４】
（連続貝係止具の実施の形態７）
本発明の連続貝係止具の第７の実施形態を図１４に基づいて説明する。この連続貝係止具は図１（ｃ）の貝係止具を間隔をあけて数千〜数万本平行に配置し、それら貝係止具の第一ロープ止め突起３と第二ロープ止め突起７の間を薄い片、細い紐等の可撓性連結材１０で連結成型してロール状に巻くことができるようにしたものである。
【００４５】
（連続貝係止具の実施の形態８）
本発明の連続貝係止具の第８の実施形態を図１５に基づいて説明する。この連続貝係止具は図１４のように連結し、更に、各貝係止具の基材の両端を可撓性連結材１０で連結成型してロール状に巻くことができるようにしたものである。
【００４６】
（連続貝係止具の実施の形態９）
本発明の連続貝係止具の第９の実施形態を図１６に基づいて説明する。この連続貝係止具は図１４のように連結し、更に、各貝係止具のロープ止め突起３の間を可撓性連結材１０で連結成型してロール状に巻くことができるようにしたものである。
【００４７】
（連続貝係止具の実施の形態１０）
本発明の連続貝係止具の第１０の実施形態を図１７に基づいて説明する。この連続貝係止具は図１４のように連結し、更に、各貝係止具の両端を可撓性連結材１０で連結成型してロール状に巻くことができるようにしたものである。
【００４８】
（連続貝係止具の実施の形態１１）
本発明の連続貝係止具の第１１の実施形態を図１８に基づいて説明する。この連続貝係止具は図１４のように連結し、更に、各貝係止具のロープ止め突起３の両外側を可撓性連結材１０で連結成型してロール状に巻くことができるようにしたものである。
【００４９】
（連続貝係止具の実施の形態１２）
本発明の連続貝係止具の第１２の実施形態を図１９に基づいて説明する。この連続貝係止具は多数本の貝係止具を平行に並べ、各貝係止具のロープ止め突起３の両外側を可撓性連結材１０で連結成型してロール状に巻くことができるようにしたものである。本発明における連続貝係止具は、図示したいずれかの貝係止具を間隔をあけて数千〜数万本平行に配置し、それら貝係止具のいずれかの部分を可撓性連結材１０で連結して樹脂成型して、ロール状に巻くこともできる。
【００５０】
（ロール状貝係止具の実施の形態）
本発明のロール状貝係止具は、前記した連続貝係止具を図２０（ａ）のようにロール状に巻いたものである。この場合、連結貝係止具に帯状のシート(シートより薄いフィルムを含む)１２を添わせてロール状に巻いて、連結貝係止具の間にシート１２を介在させてある。シート１２には障子紙のような帯状の紙とか、コピー用紙のような質、厚さの紙を帯状に長くしたものとか、帯状に長くした樹脂製のシート等を使用することができるが、使用後の廃棄処分の容易さから紙を使用するのが好ましい。シート１２は幅、長さ共に連結貝係止具のそれらと同程度のものが好ましいが、それより短いものを足しながら使用することもできる。本発明のロール状貝係止具はシート１２を介在させずに巻くこともできる。
【００５１】
本発明の連結貝係止具は図２０（ｂ）のように巻胴の両端に鍔を設けたボビン１１の巻胴にロール状に巻くこともできる。ボビン１１は肉厚の紙製、樹脂製、木製等とすることができる。紙製の場合は使い捨てに適し、樹脂製、木製等の場合は再使用するのに適する。ボビン１１に巻く連結貝係止具の間にはシート１２を介在させても、介在させなくともよい。
【００５２】
本発明の連結貝係止具の使用方法は種々あるが、一例としてはロール状に巻いた連結貝係止具をほどいてその一端を自動切断差し込み機にセットし、自動切断差し込み機により自動的に貝係止具１を一本ずつ切り離して図２１のように縦ロープに差し込み、ロープ止め突起３で縦ロープから抜けないようにする。縦ロープに差し込んだ貝係止具の軸方向端部４を貝の耳に開口してある孔に差し込んで、貝止め突起２をその孔を貫通させ、貝の耳を貝止め突起２によって係止する。貝係止具の長手方向他端を同様に貝の孔に差し込んで貝止め突起２に貝の耳を係止する。
【図面の簡単な説明】
【００５３】
【図１】（ａ）〜（ｃ）は本発明の貝係止具の異なる例を示す側面図、（ｄ）は（ａ）〜（ｃ）の貝係止具の貝止め突起付近の説明図、（ｅ）は貝止め突起付近の他例を示す説明図。
【図２】（ａ）〜（ｃ）は本発明の貝係止具の他例を示す側面図。
【図３】（ａ）は本発明の貝係止具の分離片が同じ幅の二枚である一例を示す斜視図、（ｂ）は分離片が幅の異なる二枚である一例を示す斜視図、（ｃ）は分離片が同じ幅の三枚である一例を示す斜視図、（ｄ）は同じ幅の二枚の分離片を互いに反対側に曲げた一例を示す斜視図、（ｅ）は三枚の分離片の両外側の分離片を反対側に曲げた一例を示す斜視図、（f）は三枚の分離片のうち、二枚を同じ側、一枚を反対側に曲げた一例を示す斜視図。
【図４】（ａ）、（ｂ）は本発明の貝係止具の分離片を貝止め突起の先端側に設けて先端部外側を幅広にした異なる例を示す正面図、（ｃ）、（ｄ）は分離片を貝止め突起の根元部分から分離した一例を示す斜視図、（ｅ）、（ｆ）は分離片を貝止め突起の長手方向中央部付近から分離した一例を示す斜視図。
【図５】（ａ）〜（ｃ）は本発明の貝係止具の分離片を貝止め突起の長手方向先端部付近から分離し、その先に第二抜け止め部を設けた例を示す斜視図。
【図６】（ａ）〜（ｃ）は本発明の貝係止具の分離片を貝止め突起の長手方向中央部付近から分離し、その先に第二抜け止め部を設けた例を示す斜視図。
【図７】（ａ）〜（ｃ）は本発明の貝係止具の分離片を貝止め突起の根元部分から分離し、その先に第二抜け止め部を設けた例を示す斜視図。
【図８】本発明の集合貝係止具の一例を示す側面図。
【図９】本発明の集合貝係止具の他例を示す側面図。
【図１０】本発明の集合貝係止具の異なる例を示す側面図。
【図１１】（ａ）〜（ｄ）は本発明の連続貝係止具の異なる例を示す側面図。
【図１２】本発明の連続貝係止具の他例を示す側面図。
【図１３】本発明の連続貝係止具の異なる例を示す側面図。
【図１４】本発明の連続貝係止具の他例を示す側面図。
【図１５】本発明の連続貝係止具の他例を示す側面図。
【図１６】本発明の連続貝係止具の他例を示す側面図。
【図１７】本発明の連続貝係止具の他例を示す側面図。
【図１８】本発明の連続貝係止具の他例を示す側面図。
【図１９】本発明の連続貝係止具の他例を示す側面図。
【図２０】（ａ）は本発明のロール状連続貝係止具の一例の斜視図、（ｂ）はボビンに巻いたロール状連続貝係止具の一例の側面図。
【図２１】本発明の貝係止具の使用例の斜視図。
【図２２】（ａ）は従来の貝係止具の説明図、（ｂ）は本発明の貝係止具の説明図。
【図２３】（ａ）は従来の貝係止具の説明図、（ｂ）は本発明の貝係止具の説明図。
【符号の説明】
【００５４】
１  基材
２  貝止め突起
３  第一ロープ止め突起
４  軸方向端部
５  分離片
６  基材の外周面
７  第二ロープ止め突起
８  凹陥部
９  剛性連結材
１０  可撓性連結材
１１  ボビン
１２  シート
２０  突起
２１  第二抜け止め部
２２  根元内側部分
２４  寝床
【図１】
2006280312.tif 000003
【図２】
2006280312.tif 000004
【図３】
2006280312.tif 000005
【図４】
2006280312.tif 000006
【図５】
2006280312.tif 000007
【図６】
2006280312.tif 000008
【図７】
2006280312.tif 000009
【図８】
2006280312.tif 000010
【図９】
2006280312.tif 000011
【図１０】
2006280312.tif 000012
【図１１】
2006280312.tif 000013
【図１２】
2006280312.tif 000014
【図１３】
2006280312.tif 000015
【図１４】
2006280312.tif 000016
【図１５】
2006280312.tif 000017
【図１６】
2006280312.tif 000018
【図１７】
2006280312.tif 000019
【図１８】
2006280312.tif 000020
【図１９】
2006280312.tif 000021
【図２０】
2006280312.tif 000022
【図２１】
2006280312.tif 000023
【図２２】
2006280312.tif 000024
【図２３】
2006280312.tif 000025